Podtech/llm-jp-corpus-v4-ja_patent huggingface dataset:
(57)【要約】      （修正有）【課題】表示画面を任意に動かすようにし、身長差による利用制約範囲を広げる。【解決手段】表示装置台を、液晶表示パネル取付筐体１と機器収納筐体５を分割することにより、液晶表示パネル取付筐体に上下動の動きを持たせ、機器収納筐体５へ定荷重ばねのスプリングローラー本体部分３を６で固定し、定荷重ばねのスプリングローラー本体部分３から伸びているスクリーン部分３ａを液晶表示パネル取付筐体１の底面に取り付ける事で、液晶表示パネル取付筐体１からの下がる力と機器収納筐体５に取り付けている定荷重ばねのスプリングローラー本体部分３の巻き戻そうと上がる力が均等に保つことで液晶表示パネル取付筐体１をある位置で静止する事ができる。取っ手２の力が加わる事で液晶表示パネル取付筐体１を昇降させる事ができ、身長に応じて表示画面を合わせる事ができる。【選択図】図２
0003100992.tif 000002
【実用新案登録請求の範囲】
【請求項１】
液晶パネル表示装置台において、液晶表示パネル取付筐体とこれを制御する収納機器筐体を分割構造にし、表示画面又は表示操作画面を上下させる機構を特徴とする昇降機能付表示装置台。
【考案の詳細な説明】
【技術分野】
【０００１】  本考案は，表示装置筐体へ昇降機能を設けた表示装置台に関するものである。
【背景技術】
【０００２】  近年、表示装置の画面は、大人を対象とした、装置設計が一般的で、身体障害者（車椅子）を考慮する場合は、バリアフリー対応用として個別に表示装置を用意されていて、対象目的別の表示装置台であった。
【考案の開示】
【考案が解決しようとする課題】
【０００３】  従来の表示装置台は成人を対象にしているか、バリアフリー対応にしているかということで個々に表示装置台を用意していた。両タイプを設置するには設置コスト並びに、スペースを大幅に見込まなくてはならない。すなわち、身長差の制限があり、この欠点を解決しようとするものである。
【課題を解決するための手段】
【０００４】  本考案は、液晶表示パネル取付部分と、それを制御する機器収納部分の筐体を分割させる構造とし、本液晶表示パネル取付筐体と機器収納筐体を連動させる為に定荷重ばねを設ける事で、液晶表示パネル筐体自体を上下運動させる事を可能にした。また、上下運動である昇降機能をスムーズに行なえるように、液晶表示パネル取付筐体へ取っ手を設けた。
【考案の効果】
【０００５】  表示装置に昇降機能を設けることにより身長差における制約を飛躍的に改善することができる。設置コスト・スペースを最小限に抑える事ができる。
【考案を実施するための最良の形態】
【０００６】  表示装置台の高さを任意に動かすには、筐体自体を液晶表示パネル取付筐体と機器収納筐体に分割し上下運動させる為に、液晶表示パネル取付筐体が伸びる高さ範囲分を機器収納筐体へ収納させる必要があり、その手段として機器収納筐体の両側へ、液晶表示パネル取付筐体が機器収納筐体で覆い被さる部分を両側フレームにすることにより、機器収納筐体側の機器収納スペースを確保させると同時に、この両側フレームを支える為に機器収納筐体側のスライドフレームにて固定し、スプリングローラーの働きをする定荷重ばね部品を取り付ける。そして定荷重ばね部品からスクリーン部分を伸ばし液晶表示パネル取付筐体側へ取り付ける事により昇降機能が可能となる。
【実施例】
【０００７】  以下、添付図面に従って一実施例を説明する。従来の表示装置台の一体型構造ではなく、１と５を分割する事により１を任意に動かすことができる。１が５の筐体とうまく連動させるには、６のジョイントレールにて、上下の動き以外は動かないようにする。１と５は外れないように３の定荷重ばねのスプリングローラー本体部分を機器収納筐体側へ固定して、スプリングローラー本体部分より伸ばしているスクリーン部分は液晶表示パネル取付筐体側３ａに固定されている。３は３ａを巻き戻す力が加わるため１を１ａまで、押し上げようとする。３の巻き戻そうとする力と１筐体の重さによる押し下げる力を均等に保つことにより、１から１ａの間で固定して止まる。２の力を上向きもしくは下向きに力を加える事により、均等の力が崩れ、画面を上下に動かす事ができる。２の力が加わらなくなると、その位置にて１と３の力が均等となり固定される。【０００８】  １を低位置に設定すると言うことは５の内部に１筐体の一部を取り込むかたちとなり、機器収納スペースの確保が難しくなる。従って１筐体が５の内部に重なる部分は両サイド部分のみのフレームとし収納スペースを確保している。収納機器は４のフレームアングルにて固定させる事ができる。
【図面の簡単な説明】
【０００９】
【図１】本考案の昇降機能表示装置台の一実施例を示す横断面図である。
【図２】本考案の昇降機能表示装置台の一実施例を示す正面内部図である。
【符号の説明】
【００１０】１  液晶パネル表示取付筐体
２  取っ手
３  定荷重ばね
４  収納ラック取付フレーム
５  機器収納筐体
６  液晶表示パネル取付筐体と機器収納筐体接合レールフレーム
【図１】
0003100992.tif 000003
【図２】
0003100992.tif 000004
(57)【要約】
【課題】  極めて簡単な着想により使用上の支障は全くなく、円滑に利用でき、折畳んで持ち運びする際に、左右の脚体が、折畳まれた状態で、即刻固定され、安定した状態で全体を手で把持して運搬できるものを提供すること。
【解決手段】  一対の脚体のそれぞれの上端を天板により伸長折曲可能に連結し、両脚体を互いに伸長させた状態で固定させる接続固定金具を一方の脚体にピン止めし、接続固定金具の開放端の係止鈎により両脚体を折畳んで一緒に固定させる固定ピンを他方の脚体に取付けたこと。
【選択図】    図１
0003100994.tif 000002
【実用新案登録請求の範囲】
【請求項１】
一対の脚体のそれぞれの上端を天板により伸長折曲可能に連結し、両脚体を互いに伸長させた状態で固定させる接続固定金具を一方の脚体にピン止めし、接続固定金具の開放端の係止鈎により両脚体を折畳んで一緒に固定させる固定ピンを他方の脚体に取付けた脚立。
【考案の詳細な説明】
【技術分野】
【０００１】
本考案は一対の脚体を左右に開いて上端の天板に足を載せて安定させる脚立に関するものである。
【背景技術】
【０００２】
天板に左右一対の脚体を取付ける構造の脚立は古くから種々の構造が考えられているが、在来のものは左右に開いた脚体の上端の天板に足を載せて安定させること、即ち使用時のことのみを考慮し、折畳んで持運ぶことに力を入れていない。
【考案の開示】
【考案が解決しようとする課題】
【０００３】
本考案の課題は、極めて簡単な着想により使用上の支障は全くなく、円滑に利用でき、折畳んで持ち運びする際に、左右の脚体が、折畳まれた状態で、即刻固定され、安定した状態で全体を手で把持して運搬できるものを提供することにある。
【課題を解決するための手段】
【０００４】
本考案の手段は一対の脚体のそれぞれの上端を天板により伸長折曲可能に連結し、両脚体を互いに伸長させた状態で固定させる接続固定金具を一方の脚体にピン止めし、接続固定金具の開放端の係止鈎により両脚体を折畳んで一緒に固定させる固定ピンを他方の脚体に取付けたことにある。
【考案の効果】
【０００５】
本考案の脚立は以上の構成であるから使用時は両脚体を広げて使用し、又梯子のように両脚体を伸長させた状態で固定できることは勿論（図４参照）、特に本考案においては図１、図２のように両脚体を一緒に接続固定させれば、両脚体は簡単に一体になるので手で両脚体を楽に持運びができ、従来のように両脚体を特に固定させる手段は必要はなく、従来から設置されている接続固定金具を有効に利用できる。
【考案を実施するための最良の形態】
【０００６】
図において１及び２は一対の脚体、３は両脚体１及び２の上端を互いに伸長及び折曲可能に接続するための天板である。又一方の脚体１に他方の脚体２を伸長させた状態で固定させるための接続固定金具４を先端ピン５により回動可能に取付けてある。即ち両脚体１，２を伸長状態で連結ピン９により固定できる。
【０００７】
本考案においては接続固定金具４の他端に設けた係止金具６を他方の脚体１の固定ピン７に係止させて両脚体１，２を一体に接続し、持運びを容易にしてある。
【図面の簡単な説明】
【０００８】
【図１】本考案の脚立の斜視図。
【図２】同じく側面図。
【図３】両脚体を固定状態で接続した図。
【図４】同上の要部の拡大図。
【図５】両脚体を伸長させた状態の側面図。
【符号の説明】
【０００９】
１，２  脚体
３      天板
４      接続固定金具
５      ピン
６      係止金具
７      固定ピン
９      連結ピン
【図１】
0003100994.tif 000003
【図２】
0003100994.tif 000004
【図３】
0003100994.tif 000005
【図４】
0003100994.tif 000006
【図５】
0003100994.tif 000007
(57)【要約】
【課題】本考案はパンティストッキング及びタイツの爪先を健康に良いとされる５本指にする。
【解決手段】本考案はパンティストッキング及びタイツの爪先を５本指にする。
【選択図】図１
0003100991.tif 000002
【実用新案登録請求の範囲】
【請求項１】
爪先が５本指になっているパンティストッキング及びタイツ
【考案の詳細な説明】
【技術分野】
【０００１】本考案は爪先を５本指にしたパンティストッキング及びタイツである。
【背景技術】
【０００２】５本指靴下は健康に良いということで、ここ数年、種類も多く出回っているがストッキング又はタイツを常用している者にとってはその恩恵を受けることができない。
【考案の開示】
【考案が解決しようとする課題】
【０００３】５本指靴下があるのならば５本指ストッキング及びタイツがあっても良いはずである。５本指の靴下のみでは利用者が限られてしまう。パンティストッキング及びタイツにも５本指のものを作成することにより健康効果を呈することができる。
【課題を解決するための手段】
【０００４】本考案は、パンティストッキング及びタイツの爪先を５本指にすることにある。
【考案の効果】
【０００５】パンティストッキング及びタイツの常用者にとって、５本指靴下を履く人の多くは、家に帰ってからの短い時間だが、パンティストッキング及びタイツを５本指にすれば学校、職場で長時間履くことができ５本指効果の恩恵を受けることができる。
【考案を実施するための最良の形態】
【０００６】爪先が５本指になっているパンティストッキング及びタイツ
【図面の簡単な説明】
【０００７】
【図１】本考案の爪先が５本指になったパンティストッキング及びタイツの正面ある。
【図１】
0003100991.tif 000003
(57)【要約】
【課題】  温熱効果を発するセラミックビーズ入りリングを装着したニーサポーターを膝関節部に装着することで、膝関節部の安定補強ができ、又、セラミックビーズ入りリングがパテラの外側をカバー固定することにより、テーピング効果で膝関節の動きを補助する等、ニーサポーターとセラミックビーズ入りリングを一体化した、健康増進を促進するニーサポーターを提供すること。
【解決手段】  ニーサポーターの内側部に、温熱効果を発するセラミックビーズ入りリングを装着し、そのリングがパテラ全体をカバーするような形状のセラミックビーズ入りニーサポーター。
【選択図】  図１
0003100940.tif 000002
【実用新案登録請求の範囲】
【請求項１】
ニーサポーターの内側にセラミックビーズ入りリングを装着して、サポーターとリングが一体化したことを特徴とするニーサポーター。
【請求項２】
サポーターに装着するリングはパテラの外側全体をカバーし膝関節部をおさえて固定できる形状とすることを特徴とするニーサポーター。
【考案の詳細な説明】
【考案の詳細な説明】
【本考案の属する技術分野】
【０００１】  本考案はセラミックビーズ入りリングをサポーターに装着することによりセラミックの特性である温熱効果を発し、又リングが膝関節部をおさえ固定することによりテーピングの効果と同様の機能をも有する、健康増進に関するものである。
【背景技術】
【０００２】  従来、セラミックの特性である温熱効果を活用したものとして、セラミック繊維を使用したサポーター等が知られている。
【考案が解決しようとする課題】
【０００３】  従来の技術で述べたものは、サポーターで締付けることにより、きん肉やじん帯をおさえて動きを楽にする効果はあるが、その締付け効果と同時に膝関節のパテラの外側部を固定あるいは押さえて膝関節の動きを補助するテーピング的な効果がある機能は有していないという問題点があった。
【０００４】  本考案は従来の技術の有するこのような問題点に鑑みてなされたものであり、ニーサポーターとセラミックビーズ入りリングを一体化しテーピングの効果と同様の機能を有するセラミックビーズ入りニーサポーターは無かった。その一体化した機能を得ることを目的としており、セラミックの特性である温熱効果を発するセラミックビーズ入りリングをニーサポーターに装着させることによりサポーターの締付効果とリングを固定し押さえることによるテーピング機能をも有するセラミックビーズ入りニーサポーターを提供しようとするものである。
【課題を解決するための手段】
【０００５】  上記目的を達成するために本考案におけるセラミックビーズ入りニーサポーターは、サポーターの内側部分に、膝関節のパテラの外側をカバーするようセラミックビーズ入りリングを装着するものである。
【０００６】  そしてそのセラミックビーズ入りリングを装着することによる温熱効果で、上記関節部の安定を増進さす。
【０００７】  またサポーター本体の締付け効果とあわせ膝関節部をリングでおしつけることにより、その関節部の補強を維持するものである。
【０００８】  そしてセラミックビーズ入りリングが上記関節部に固定されることにより、きん肉やじん帯の動きが楽になり、テーピングと同様の効果をもたらすものである。
【考案を実施するための最良の形態】
【０００９】  考案の実施の形態について図面を参照して説明する。図１〜図３において膝にニーサポーターを装着した状態でセラミック入りリングがパテラの外側をカバーしている。【００１０】  パテラをカバーする温熱効果を発するセラミックビーズ入りリングは外径５ｍｍ程度のシリコンチューブで作製してあり、形状は自由に変えることができるものである。
【考案の効果】
【００１１】  本考案は上述のとおり構成されているので、次に記載する効果を奏する。
【００１２】  セラミックビーズ入りニーサポーターを膝関節部に装着することで、その温熱効果と、リングを固定することによるテーピング効果、そのことにより膝関節の安定を良くしもって健康増進を促進する。
【００１３】  そしてテーピングをすることによりおこりうる皮膚のかゆみ、かぶれなどの症状が無く、テーピング同様の効果を得ることができる。
【図面の簡単な説明】
【図１】    サポーター正面図
【図２】    サポーターの側面図
【図３】    セラミックビーズ入りリングの図である
【符号の説明】
（１）    サポーター本体
（２）    セラミックビーズ入りリング
（３）    サポーター穴あき部
【図１】
0003100940.tif 000003
【図２】
0003100940.tif 000004
【図３】
0003100940.tif 000005
(57)【要約】
【課題】    従来のキーボードは、手前のキーから奥のキーにいくにしたがって、階段状
に高くなっていくものである。そして、手の掌底部をキーボードの接地面に置いてキーを操作するものである。そのために、手首から先を水平面よりも高くしてキーを操作しなければならない。そのことによって、長時間キーボードを操作した場合腕や肩の疲れにつながることになる。
【解決手段】  キーボードの最も手前のキーを最も高くして、キーの高さを手前のキーから奥のキーにかけて階段状に低くしていく。そのようにすることで、手首から先の部分を水平面より上に上げる必要がなくなるので、腕や肩の疲れが軽減される。
【選択図】        図１
0003100931.tif 000002
【実用新案登録請求の範囲】
【請求項１】
最も手前のキーの高さが最も高く、手前のキーから奥のキーにかけて一列ごとに段差をつけて、階段状に低くなるキーボード。
【考案の詳細な説明】
【技術分野】
【０００１】
本考案は、コンピューターのキーボードにかかるものである。
【背景技術】
【０００２】
従来、この種のキーボードは、図２に示す手前のキーから奥に向かってキーの高さが階段状に高くなるものが知られている。
【考案の開示】
【考案が解決しようとする課題】
【０００３】
従来の技術で述べたものは、手の掌底部をキーボードの接地面においてキーを操作するため、手首から先を水平面よりも常に高くする必要がある。この理由により、長時間操作すると、腕や肩の疲れが避けられないという問題点があった。
【０００４】
本考案は、従来の技術の有するこのような問題点に鑑みてなされたものであり、その目的とするところはキーボード操作を長時間行っても腕や肩の疲れが少ないキーボードを提供しようとするものである。
【課題を解決するための手段】
【０００５】
上記目的を達するために、本考案におけるキーボードは最も手前のキーの高さを最も高くし、一列ごとに段差をつけ奥のキーにかけて階段状に低くする。
【０００６】
さらに、最も手前のキーから手前の部分に基板、LEDを納める部分を設けるとよい。
【考案の効果】
【０００７】
本考案は、上述の通り構成されているので、次に記載する効果を奏する。
【０００８】
キーを操作する場合、手首より先の部分を水平面よりも上に上げる必要がない。
【０００９】
上述のことにより、腕や肩の疲れが軽減される。
【考案を実施するための最良の形態】
【００１０】
図１においてキーボード筐体は、例えばプラスチックを用い成形加工により、横方向から見た場合くさび形の断面形状に形成されている。
【００１１】
キーは手前から奥にかけて一列ごとに１〜１０ｍｍ程度の段差をつけて配置する。
【図面の簡単な説明】
【００１２】
【図１】本考案のキーボード横方向からの断面図である。
【図２】従来のキーボード横方向からの断面図である。
【符号の説明】
【００１３】
１  筐体
２  キー
３  基板,LED収納部
【図１】
0003100931.tif 000003
【図２】
0003100931.tif 000004
(57)【要約】      （修正有）【課題】ＥＬシートの光量を調節するための機構を提供する。【解決手段】ばねを用いた軸にＥＬシートを巻きつけ、シェードをかぶせたものである。ＥＬシートの電極はこの状態では断線している。ボトムバーを引っ張ることによって伝導線が繋がり、電源がＯＮ状態になる。この時、ＥＬシートが発光し始める。シートは、任意の位置で止めることができる。この止めたときに、シェードの外に出ているＥＬシートの面積によって光量が決まる。光量は、シートの長さを変化させることによって調節することができる。【選択図】図１
0003100952.tif 000002
【実用新案登録請求の範囲】
【請求項１】
光量の調節ができないＥＬシートを、外部に露出させる面積を調節することで光量調節可能にすることができる機構。本機構は、ＥＬシートを巻き付けた軸とそれを覆い隠すシェードから成る。軸には、ばねとストッパーがついており、ＥＬシートを引っ張りだしだとき、好きな長さで止めることができる。このＥＬシートが外部に露出した面積を調節することによって、光量の調節を行うことができる。
【考案の詳細な説明】
【０００１】
【考案の属する技術分野】
本考案は、ＥＬシートを用いた、照明に関するものである。
【０００２】
【従来の技術】
ＥＬシートは、電流を流すと面全体が発光する。しかしＯＮ／ＯＦＦの状態しかないので、光量を調節することができない。このため、照明として用いる場合、液晶のバックライトのような単純な用途に限られている。
【０００３】
【考案が解決しようとする課題】
ＥＬシートは、光量の調節を行うことができない。よって照明として用いた場合、光の調節ができないので、点灯／消灯の状態しかない単純なものになってしまう。本考案は、このＥＬシートを照明として用いた時に、どのようにして光の調節を行うかという課題を解決するものである。
【０００４】
【課題を解決するための手段】
本考案の機構は、ばねを用いた軸にＥＬシートを巻きつけ、シェードをかぶせたものである。ＥＬシートの電極はこの状態では断線している。ボトムバーを引っ張ることによって伝導線が繋がり、電源がＯＮ状態になる。この時、ＥＬシートが発光し始める。シートは、任意の位置で止めることができる。この止めたときに、シェードの外に出ているＥＬシートの面積によって光量が決まる。光量は、シートの長さを変化させることによって調節することができる。
【０００５】
【考案の実施の形態】
ＥＬシートは、図１に示すように、ばねを用いた軸に巻きつけシェードの中に収納されている。このとき、ボトムバーがシェードの外幅よりも長いので、シートがシェードの中に巻き込まれることはない。シートは、ボトムバーを引っ張ることにより引き出すことができる。シートを巻く軸には、ばねとストッパーが仕込まれているので、シェードの外に出るシートの長さを、任意の長さに調節することができる。元に戻すときは、シートを一度軽く引っ張ることによって、軸に設けられたストッパーを解除する。ストッパーを解除すると、シートはシェードの中に巻き込まれていく。このように、シートの長さは、手動で自由に調節することができる（図２）。ＥＬシートを発光させるための電源は、軸の中に伝導線をはわせることによって確保する。ＥＬシートを引きだすには、ボトムバーを使用する。このボトムバーが、シェードから出ているので、ＥＬシートを引きだすことができる。ＥＬシートがすべて巻き込まれると、ボトムバーに付属しているピンがＯＮ／ＯＦＦ回路に入り込み、導線を絶縁する。これによって、ＥＬシートの回路がＯＦＦになり、シートの発光が止まる（図３）。
【０００６】
【実施例】
以下、添付図面に従って一実施例を説明する。ＥＬシート１に電気を通すための伝導線２を、ボトムバー３を引っ張ることによって、結線させてＯＮ状態にし、シートを発光させる。この時、シート全体が発光しているが、シェード４から出ている部分だけが外部に現れているため、この外部に現れている部分の面積によって光量を調節することができる。シートの面積は、支柱５に巻き付けたばね６とストッパー７によって自由に調節することができる。また、シートを上まで上げ、元の状態に戻すことによって、伝導線を断線させることができるので、電源をＯＦＦ状態にすることができる。
【０００７】
【考案の効果】
本考案は、ＥＬシートの光量を調節することができる機構である。この機構を利用すれば、ＥＬシートを光量調節可能な照明として用いることができる。
【図面の簡単な説明】
【図１】ロール機構の断面図
【図２】ロール機構の外観
（１）シート１０ｃｍ引出時（２）シート３０ｃｍ引出時
【図３】ＯＮ／ＯＦＦの機構
【符号の説明】
１  フレキシブルＥＬ
２  電極ピン
３  ボトムバー
４  シェード
５  ロールガイド
６  導線
７  ＯＮ／ＯＦＦ回路
８  ピン
９  軸
【図１】
0003100952.tif 000003
【図２】
0003100952.tif 000004
【図３】
0003100952.tif 000005
【手続補正書】
【提出日】平成15年9月22日(2003.9.22)
【手続補正１】
【補正対象書類名】明細書
【補正対象項目名】実用新案登録請求の範囲
【補正方法】変更
【補正の内容】
【実用新案登録請求の範囲】
【請求項１】
光量の調節ができないＥＬシートを、引出し可能なロール状にしてシェードの中に格納し、このシェードから外部に露出する面積を調節することで、光量を調節する機構。
(57)【要約】
【課題】  本考案は、家庭にておにぎり及び焼き海苔を包装する為の、時間的・労働的な負担を軽減する。
【解決手段】  本考案は、連続した下面の合成樹脂フィルム１ａに、一定の間隔をおいて焼き海苔２を封入する為、上面より合成樹脂フィルム１ｂを周縁部ヒートシール１ｃし、折り返し下面合成樹脂フィルム部分１ｄに切り取り用加工１ｅし厚紙箱３の中に折り畳み収納された構成である。従って焼き海苔包装具・包装ラップと交互に折り畳まれた箱ならば、必要枚数に応じて容易に取り出しが可能になる。
【選択図】  図１
0003100955.tif 000002
【実用新案登録請求の範囲】
【請求項１】
包装ラップ・焼き海苔包装具と交互に折り畳まれた箱であり、切り取り加工をすることにより、必要枚数に応じて容易に取り出すことが出来る。また折り畳まれているため焼き海苔がカールすることがなく、他のラップ・ホイル製品と一緒に常備しやすく、且つ屋外への携帯も容易に出来ることを特徴とする包装体。
【考案の詳細な説明】
【技術分野】
【０００１】  本考案は、おにぎりに必要な包装ラップ・焼き海苔包装具を、交互に折り畳んだ箱に関するものである。
【背景技術】
【０００２】  家庭でおにぎりを作るにあたり、行事及び旅先等にて湿気のない焼き海苔で巻いて食べる為に、おにぎりと焼き海苔を別々に包装し持ち運んでいた。
【考案の開示】
【考案が解決しようとする課題】
【０００３】  解決しようとする問題点は、まず家庭にておにぎりを包装する為、ラップを切り取り包む。さらに焼き海苔を全角のまま持ち運び、食事時に焼き海苔を切る。もしくは家庭にて焼き海苔を切り分け、包装し持ち運ぶ。というように時間的・労働的に負担である。従って包装ラップ・焼き海苔包装具と交互に折り畳まれた箱ならば、必要枚数に応じて容易に取り出しが可能になり前述の欠点を解決しようとするものである。
【課題を解決するための手段】
【０００４】  本考案は、包装ラップ・焼き海苔包装具と交互に折り畳まれた箱であり、切り取り加工をすることにより、必要枚数に応じて容易に取り出すことが出来る。また折り畳まれているため焼き海苔がカールすることがなく、他のラップ・ホイル製品と常備が可能となり、且つ屋外への携帯も容易に出来るなど問題点を解決している。
【考案の効果】
【０００５】  上述の様に、おにぎりに必要な包装ラップ・焼き海苔包装具を、容易に取り出せることは勿論、他のラップ・ホイル製品と常備が可能となり保管スペースが身近となり、且つ屋外への携帯しても焼き海苔がカール・破れたりすることがないなどの効果がある。
【考案の実施するための最良の形態】
【０００６】  家庭において他のラップ製品とともに常備しておき、おにぎりを作り、箱から包装ラップを引き出し切り取り、おにぎりを包装する。さらに引き出し、焼き海苔包装具を切り取ることにより、一個分の用意が出来たこととなる。
【実施例】
【０００７】  以下、添付図に従って実施例を説明する。連続した下面の合成樹脂フィルム１ａに、一定の間隔をおいて焼き海苔２を封入する為、上面より合成樹脂フィルム１ｂを周縁部ヒートシール１ｃし、折り返し下面合成樹脂フィルム部分１ｄに切り取り用加工１ｅし厚紙箱３の中に折り畳み収納された構成である。【０００８】  上述の構成より、おにぎりを作り、箱から包装ラップである折り返し下面合成樹脂フィルム１ｄを引き出し切り取り、おにぎりを包装する。さらに引き出し、焼き海苔包装具を切り取る。
【図面の簡単な説明】
【０００９】
【図１】包装ラップ・焼き海苔包装具と交互に折り畳まれ厚紙箱へ収納状態を示す立面図及び断面図である。
【図２】包装ラップ・焼き海苔包装具のヒートシール状態を示す平面図及び断面構成図である。
【符号の説明】
【００１０】１：合成樹脂フィルム
１ａ：下面合成樹脂フィルム
１ｂ：上面合成樹脂フィルム
１ｃ：ヒートシール部分
１ｄ：折り返し下面合成樹脂フィルム
１ｅ：切り取り用加工部分
２：焼き海苔
３：厚紙箱
【図１】
0003100955.tif 000003
【図２】
0003100955.tif 000004
【手続補正書】
【提出日】平成15年11月6日(2003.11.6)
【手続補正１】
【補正対象書類名】実用新案登録請求の範囲
【補正対象項目名】請求項１
【補正方法】変更
【補正の内容】
【請求項１】
包装ラップと焼き海苔包装具が、切り取り加工をして折り畳まれているため、焼き海苔がカールすることがなく、必要枚数に応じて箱から容易に取り出すことが出来ることを特徴とする包装体。
(57)【要約】
【課題】  洗顔の際にお湯、または水で洗顔した場合でも汚れ、油分、古い角質をきれいに拭き取ることが望ましい。また、肌に押し当てる際の肌触りを従来品よりも、もっと優しい感触で提供したい。
【解決手段】  本考案は、お湯、水での洗顔時でも油分、古い角質などの汚れをきれいに拭き取るために表面の布体に極細繊維を使用し、さらに空気の層をクッションとする肌触りの良い洗顔用具を提供するものである。【実用新案登録請求の範囲】
【請求項１】
０．１デニール（１〜５ミクロンの太さ）以下の極細繊維からなる布体を表面に使用し、その布体でスポンジを包み込んだ洗顔用具。
【請求項２】
肌に押し当てる際のクッションとして空気の層が利用される洗顔用具。
【考案の詳細な説明】
【技術分野】
【０００１】  本考案は洗顔を容易にし、肌に感触の良いエアークッションを利用した洗顔用具に関するものである。
【背景技術】
【０００２】  朝の出勤前等、時間の無いときの洗顔として、フェイスタオルを用いてお湯または、水で洗顔する場合が多い。しかし、この洗顔では油分、古い角質などの汚れをきれいに落とすことができない。多角断面極細繊維を不織布に加工しての洗顔クリーナー（特開平７−２５０７７９）は本考案の狙いと一致しているが多角断面極細繊維を不織布に加工するためにコストが高くなる。安価にするためには一般繊維の混合も可能ではあるが効果が落ちてしまう可能性がある。【０００３】  また、肌に押し当てる際に肌触りを良くするためにスポンジなどが多く利用されている。
【考案の開示】
【考案が解決しようとする課題】
【０００４】  お湯、水での洗顔時に油分、古い角質などの汚れをきれいに取り除くことが容易にできない。【０００５】  また、肌に押し当てる際の肌触りを従来品よりも、もっと優しい感触で提供したい。
【課題を解決するための手段】
【０００６】  本考案は、お湯、水での洗顔時でも油分、古い角質などの汚れをきれいに取り除くと共に空気の弾力を利用した優しい肌触りを実現するために、表面の布体に極細繊維を使用し、さらにこの繊維の特性を利用してできる空気の層をクッションとさせる洗顔用具を提供するものである。
【考案の効果】
【０００７】  図−１に示すように従来のフェイスタオル等は繊維が太くて汚れ分、特に油分、古い角質などは良く拭き取れない。しかし、図−２のように極細でしかもくさび状になっている繊維だと特に油分、古い角質までもきれいに拭き取ることが可能である。【０００８】  さらに図−５のように下半分をつまむように絞り込む、または図−６のように下半分を折り込むと上半分の表面布体とスポンジの隙間に空気の層（図−５・６・７の３）ができる。この部分で洗顔するとエアークッションにより今までにない優しい感触で洗顔できる。肌の弱い人にもだいじょうぶである。
【考案を実施するための最良の形態】
【０００９】  本考案については複雑な構造を避けて、できるだけ簡単にそして、コストも低くし、安価で提供できるようにした。
【実施例１】
【００１０】  形状としては、空気の層を作りやすく、さらに使いやすくするために、長めの楕円形とする。（図−３）中に入れるスポンジの厚みであるが、薄すぎては空気の層のボリュウムに欠けてしまう。また、厚すぎると使い勝手が良くない。１８ｍｍがちょうど良い。【００１１】  次に表面布体であるが、例としてカネボウ合繊株式会社のベリーマＸ（商標）を使用する。このベリーマＸは０．１デニール（１〜５ミクロン）の極細繊維で図−２で示すように繊維がくさび状になっているために汚れを拭き取りやすいことが特徴である。【００１２】  さらにこの布体は乾いていると通気性があり、濡れると通気性がなくなる。空気層を作るにはこの特性を充分に引き出さなくてはならず、図−３の本体の周り１は密閉するものである。そして、この布体はほとんど伸縮性がないために図−４の２に示すようにスポンジより布体がすこし大きめな構造でなければならない。【００１３】  空気層を作るためには、まず表面を濡らし、図−５のように下半分をつまむか、図−７のように下半分を折り曲げて下の部分の空気を上半分に移動させて空気の層をつくる。
【産業上の利用可能性】
【００１４】  本考案は超極細繊維の布体を表面に使用し、空気の層をクッションに利用した洗顔用具である。
【図面の簡単な説明】
【図−１】
従来のフェイスタオルの拭き取り図。
【図−２】
超極細繊維ベリーマＸ（商標）の拭き取り図。
【図−３】
全体の形状を示す図。
【図−４】
縦の断面図。
【図−５】
下半分をつまんで空気の層を作る図。（正面）
【図−６】
下半分をつまんで空気の層を作る図。（側面）
【図−７】
下半分を折り曲げて空気の層を作る図。（側面）
【符号の説明】
１    本体の周り
２    スポンジと布体の間隔
３    表面布体とスポンジの間にできる空気の層
【図−１】
0003100954.tif 000002
【図−２】
0003100954.tif 000003
【図−３】
0003100954.tif 000004
【図−４】
0003100954.tif 000005
【図−５】
0003100954.tif 000006
【図−６】
0003100954.tif 000007
【図−７】
0003100954.tif 000008
【手続補正書】
【提出日】平成15年10月30日(2003.10.30)
【手続補正１】
【補正対象書類名】実用新案登録請求の範囲
【補正対象項目名】全文
【補正方法】変更
【補正の内容】
【実用新案登録請求の範囲】
【請求項１】
０．１デニール以下の極細繊維からなる布体を使用し、その布体でスポンジを包み込んだ空気層式洗顔用具。
【請求項２】
表面布体の継ぎ目部分を密封させることにより、表面布体が濡れている状態で内部の空気が外に漏れない構造を特徴とする請求項１記載の空気層式洗顔用具。
(57)【要約】
【課題】  ブラジャーのゴムの締め付け痒みを取り除く
【解決手段】  パットの中心に両面テープを張り下着又はタックトップに接着させて締めつけ痒み肩ヒモから解放される
【選択図】  図２
0003100956.tif 000002
【実用新案登録請求の範囲】
【請求項１】
パット１の中心に両面テープ２を張り下着３の乳房が当る所に張る
【考案の詳細な説明】
【考案の詳細な説明】
【考案が解決しようとする課題】
【０００１】  従来のブラジャーは、ヒモやゴムの締め付けで痒みや圧迫感、不解感がありそれを取り除く
【課題を解決するための手段】
【０００２】  上記の目的を達成するために、パットの中心部はテープのくっつきの良い素材を使い両面テープを張り下着に接着させる両面テープは、パットに合った丸みのあるテープパットの大小厚さ薄さデザインも考えて作ると良い
【考案の効果】
【０００３】締め付け痒みもなく服の上から見ても普通のブラをしているのと変りなくタンクトップの若者年配者にも良いのではないか
【図面の簡単な説明】
【図１】正面から見たパット１と両面テープ２
【図２】パット１と両面テープ２と下着の断面図  パット１の中心部に両面テープ２を張り下着３と接着させる
【符号の説明】
１  パット
２  両面テープ
３  下着
【図１】
0003100956.tif 000003
【図２】
0003100956.tif 000004
【手続補正書】
【提出日】平成15年10月31日(2003.10.31)
【手続補正１】
【補正対象書類名】実用新案登録請求の範囲
【補正対象項目名】全文
【補正方法】変更
【補正の内容】
【実用新案登録請求の範囲】
【請求項１】
パット１の中心に両面テープ２を張り下着３の好みの位置に接着させ両面テープを利用したプチブラです。
(57)【要約】【目的】この考案は液層内にとりつけた鏡に関するものである。【構成】容器１中に鏡２をとりつけ、水等の液体３をいれて構成する。【選択図】        図１
0003100951.tif 000002
【実用新案登録請求の範囲】
【請求項１】
液層内にとりつけた鏡
【考案の詳細な説明】
【０００１】
【産業上の利用分野】
この考案は鏡を容器内にとりつけ、水等の液体を入れて使う鏡である。
【０００２】
従来の問題点
風呂場内で鏡を使うとき鏡はすぐくもって使えない。
化学的処理によるくもらない鏡もあるが大変高価である。
石鹸で洗って使うという方法もあるが、洗ったあとの水滴が映像のゆがみをつくって見にくくなる。
【０００３】
考案が解決しようとする課題点
本案は上記問題点を解決しようとするものである。
【０００４】
課題を解決するための手段
いまその解決手段を図に追いながら説明すれば、
容器１中に鏡２をとりつけ水お湯等の液体３を入れて使用するようにしたものである。
【０００５】
作用
液層表面に水滴はつかないのでぜったいにくもることなく鏡をみることができる。
【０００６】
実施例
浴室内に置き、使用するときに水お湯等の液体を入れて使用する。
【０００７】
考案の効果
わずらわしい鏡のくもりをごく安価になくすことができる。
【図面の簡単な説明】
【図１】本考案の断面図
【符号の説明】
１は容器
２は鏡
３は水お湯等の液体
（４は人の視線）
【図１】
0003100951.tif 000003
【手続補正書】
【提出日】平成15年11月4日(2003.11.4)
【手続補正１】
【補正対象書類名】明細書
【補正対象項目名】実用新案登録請求の範囲
【補正方法】変更
【補正の内容】
【実用新案登録請求の範囲】
【請求項１】
冷水や温水等の液体と鏡面体を一体化し、かつ外気と接する表面を液体面として鏡面体のくもりの発生を防止した鏡
(57)【要約】
【課題】様々な、角度から検証し改良を目的とすると共に、独立した防水布と防水衿を一つにすることで防水性を向上し、機能性、保温性も大幅に向上した衿部を提供する。
【解決手段】クロロプレン発泡伸縮素材を用いた衿部であり、科学的要素を基にマリンスポーツ、その他ウィンタースポーツ、又、生活環境において、様々な分野で使用目的を問わず、ローコスト、低価格で消費者に提供することを目的とした、内衿、外衿、であり、特にウェットスーツを着用したマリンスポーツ等に於ける水の浸入を抑えるとともに、体温の低下も抑え、体温の低下を遅らすことにより体力の促進持続を保つことができる構成である。
【選択図】  図１
0003100959.tif 000002
【実用新案登録請求の範囲】
【請求項１】
クロロプレン発泡伸縮素材を用いた、衿部であり、科学的要素を基にマリンスポーツ、ウィンタースポーツ、生活環境での身に纏う、全ての、ウェットスーツを含む、衣服或は、衣類の内外に着用する防水性、機能性、保温性、を兼ね備えた衿部であることを特徴とする。
【考案の詳細な説明】
【考案の詳細な説明】
【技術分野】
【０００１】本考案はマリンスポーツ、ウィンタースポーツ、生活環境で特にウェットスーツの内外に着用する防水性、機能性、保温性、の向上を目的とし、体温の低下を遅らせることにより、体力の促進持続を保つ為の防水衿の改良に関するものとする。
【背景技術】
【０００２】従来の、内外衿は、ウェットスーツ本体の衿の内側或は、外側にリング状の衿、を頭上から被るだけのものでありズレてしまうなど、収まるべき所に留まらない構造であった。【０００３】又、ウェットスーツ本体の背面側開口部に、防水布とリング状内衿が完全に固定されて付く為、人体の寸法や、体形によっては、後ろから下に向かって引っ張られる様な感覚は、極めて不快であり着用していて気にならずにはいられない構造であった。
【考案が解決しようとする課題】
【０００４】このように従来の内外衿は防水性もさる事ながら構造上に問題があり機能を十分に発揮出来ずにいた。しかし、本考案は、このような問題点を全て取り除き十二分に内外、防水衿としての機能を発揮し防水性、機能性、保温性をバランスの採れた構造で提供することを目的としている。
【課題を解決するための手段】
【０００５】本考案は、クロロプレン発泡ゴム素材を用いて衿部、図１−１を人体の首にぴったり沿わせた構造にし、防水布と独立した防水衿図１−ａに布製ファスナー図１−３を工業用ミシン等で縫い合わせ、予めウェットスーツに備え付けたＴ字型の防水布とを適当な所で固定することでマリンスポーツにおける動作の一つに、ドルフィンスルーと言う正面から来る波を頭から潜ってやり過ごす動作において第二の防水布図１−２を取り付けたことで首からの水の浸入を肌に触れることなく防水布を通りウェットスーツの外にぬける様になった。また、ここで言うＴ字型の防水布とは実願２００３−０００８２０で記載したものとする。
【考案の実施形態】
【０００６】本考案による独立した内外、防水布付き防水衿図１−ａはウェットスーツを着用後，頭上から被り違和感のない適当な所で布製ファスナー図１−３を、予めウェットスーツ側に備え付けた固定のＴ−字型防水布と、防水布の上先に備え付けた布製ファスナーとを固定することで、ズレ、或は、後ろから、下に向かって引っ張られるといった不快な違和感も感じることなく快適にマリンスポーツを楽しめると共に、図１−１と図１−２が完全に独立して一つになったことで、ローコスト、低価格で消費者に提供することも可能となった。
【考案の結果】
【０００７】固定されたものから、向上を持って図１−１、図１−２が、完全に独立して一つになったことで作業性も向上しコストも抑えることができ、低価格で消費者に提供することも可能になった。
【０００８】又、図１−１、図１−２が完全に独立し、一つになったことでマリンスポーツに限らずウィンタースポーツ或は、自然環境の様々な分野で消費者に提供することが可能になり、小さな研究結果ではあったが、大きな発展に近ずいたといえる。
【図面の簡単な説明】
【０００９】本考案の内外、防水布付き防水衿を簡単に説明した平面図である。【図１】防水布付き防水衿を示した図であり、特に衿部正面を示した図である。
【図２】防水布付き防水衿を示した図であり、特に衿部左側面を示した図である。
【図３】防水布付き防水衿を示した図であり、特に衿部後ろ面を示した図である。
【符号の説明】
ａ・・・防水布付き防水衿本体。
１・・・衿部。
２・・・防水布。
３・・・布製ファスナー。
【図１】
0003100959.tif 000003
【図２】
0003100959.tif 000004
【図３】
0003100959.tif 000005
【手続補正書】
【提出日】平成15年11月21日(2003.11.21)
【手続補正１】
【補正対象書類名】実用新案登録請求の範囲
【補正対象項目名】全文
【補正方法】変更
【補正の内容】
【実用新案登録請求の範囲】
【請求項１】
クロロプレン発泡伸縮素材を用いた、衿部であり、科学的要素を基にマリンスポーツ、ウィンタースポーツ、生活環境での身に纏う、全ての、ウェットスーツを含む、衣服或は、衣類の内外にクロロプレン発泡伸縮素材の取り外し可能な衿部と防水布とを布製ファスナーで結合し着用することで、防水性、機能性、保温性、を兼ね備えた衿部。
(57)【要約】
【課題】  バターナイフの多くは、ジャム及びバター等二色をパンなどに塗布する際は、各容器内のジャム又は、バター等にそれぞれが混ざらないように１本づつバターナイフを用意し、１色塗るたび交互に持ち替え使用しなればならず不便であり、衛生上、受け皿等も用意して置くために洗う手間もかかっていた。
【解決手段】バターナイフのグリップにヘラを組み合わせることでジャム及びバター等二色をパンなどに塗布する際は、各容器内のジャム又は、バター等にそれぞれが混ざらないように１本づつバターナイフを用意し、１色塗るたび交互に持ち替える必要がなくなり、この考案のバターナイフ１つで二色塗ることができる。更にグリップの底部を平らにすることで安定し、受け皿なしでテーブルの上などに直接、置くことができる。洗う手間も軽減される。
【選択図】  図１
0003100960.tif 000002
【実用新案登録請求の範囲】
【請求項１】
バターナイフであって、該バターナイフのグリップにヘラを組み合わせたことを特徴とするヘラ付きバターナイフ。
【請求項２】
前記グリップの底部を平らにすることで、そのままテーブルの上などに直接、置くことができるようになした請求項１に記載のヘラ付きバターナイフ。
【考案の詳細な説明】
【技術分野】
【０００１】この考案は、バターナイフのグリップにヘラを組み合わせたヘラ付きバターナイフに関し、更に詳しくは、バターナイフのグリップの底部を平らにすることでテーブルの上などに受け皿なしで、直接、置くことができるヘラ付きバターナイフに関するものである
【背景技術】
【０００２】従来、バターナイフの多くは、バターやジャム等１色をパンなどに塗布することに使用され、受け皿等の上に置かれていた。
【考案の開示】
【考案が解決しようとする課題】
【０００３】上記、従来のバターナイフの多くは、ジャム及びバター等二色をパンなどに塗布する際は、各容器内のジャム又は、バター等にそれぞれが混ざらないように１本づつバターナイフを用意し、１色塗るたび交互に持ち替え使用しなればならず不便であり、衛生上、受け皿等も用意して置くために洗う手間もかかっていた。
【課題を解決するための手段】
【０００４】この課題は、バターナイフのグリップにヘラを組み合わせ、グリップ底部を平らにすることで解決される。
【考案の効果】
【０００５】バターナイフのグリップにヘラを組み合わせることでジャム及びバター等二色をパンなどに塗布する際は、各容器内のジャム又は、バター等にそれぞれが混ざらないように１本づつバターナイフを用意し、１色塗るたび交互に持ち替える必要がなくなり、この考案のバターナイフ１つで二色塗ることができる。更にグリップの底部を平らにすることで安定し、受け皿なしでテーブルの上などに直接、置くことができる。洗う手間も軽減される。
【考案を実施するための最良の形態】
【０００６】ジャム及びバター等二色をパンなどに塗布する際は、本考案のバターナイフ一つを持つことにより、バターナイフとヘラの双方の機能を交互に使い、主に手首の動作ですくい、塗布する。また、使用後、グリップの平らの底部を下面にしてテーブルの上に置く。、
【産業上の利用可能性】
【０００７】バターナイフのグリップにヘラを組み合わせることでジャム及びバター等二色をパンなどに塗布する際は、各容器内のジャム又は、バター等にそれぞれが混ざらないように１本づつバターナイフを用意し、１色塗るたび交互に持ち替える必要がなくなり、この考案のバターナイフ１つで二色塗ることができる。更にグリップの底部を平らにすることで安定し、受け皿なしでテーブルの上などに直接、置くことができる。洗う手間も軽減される。
【図面の簡単な説明】
【図１】本考案のヘラ付きバターナイフの横からの図である
【図２】本考案のヘラ付きバターナイフの上からの図である
【符号の説明】
１  グリップとしての使用部分
２  バターナイフとしての使用部分
３  ヘラとしての使用部分
４  グリップの底部
【図１】
0003100960.tif 000003
【図２】
0003100960.tif 000004
(57)【要約】      （修正有）【課題】台所から出る生ゴミの水抜きについては、いずれの方法においても生ゴミを捨てるその都度、水切りゴミ袋を外したり取り付けたりしなければなりませんでした。本考案はこれらの不便さを解消する水切りゴミ袋を供給する事を目的にしています。【解決手段】本考案の水切りゴミ袋は、長方形に裁断した防水紙を、ネット袋５の開口部４の周囲の長さに合わせて切り、その両端をのりしろで繋ぎ合わせて紙筒３を作ります。次に紙筒３を、ネット袋５の開口部４に施し設けます。紙筒３は大きく口を開いて生ゴミを受け入れます。流しの隅に置いた水切りゴミ袋に、生ゴミが入れられて紙筒３が一杯になったときは、紙筒３を指で軽く摘んで引き上げますと、生ゴミがネット袋５の中に進みますので紙筒３の中は空になります。更に続けて生ゴミが紙筒３の中に入れられ、この事を繰り返して水切りゴミ袋は、やがて満杯になります。ネット袋５は生ゴミを手で押しつけても問題はなく、より多くの生ゴミを詰め込むことができます。【選択図】図５
0003100990.tif 000002
【実用新案登録請求の範囲】
【請求項１】
長方形に裁断した防水紙（１）の両端をつなぎ合せて紙筒（３）を形成し、紙筒（３）をネット袋（５）の開口部（４）に施し設けた事を特徴とする水切りゴミ袋。
【考案の詳細な説明】
【考案の詳細な説明】
【産業上の利用分野】
【０００１】  家庭で台所や食後に排出される生ゴミの水抜き処理について、一般的にはネット袋による水切りゴミ袋を使用します、水切りゴミ袋の使い方は概ね次の二つの方法に大別出来ます、一つは、水切りゴミ袋を専用の網目の容器を利用して容器の内側に重ね合わせて生ゴミを入れる方法です、この方法では生ゴミが容器一杯になるとその都度、水切りゴミ袋を容器から外したり取り付けたりしなければなりませんでした、又、網目の容器は生ゴミのカスが付着し腐敗するために目詰りをし、手で触れるとヌルヌルした感触で悪臭を放ちとても嫌な思いをしました。
次に二つ目の方法は、流し台の隅に袋を吊す特殊な用具を取り付け、て水切りゴミ袋を吊り下げて生ゴミを入れる方法です、この方法では水切りゴミ袋に生ゴミを押し込むために力を入れたり、生ゴミの量が増えて重くなると袋がはずれ落ちる失態がありました、又、袋を交換するその度ごとに、特殊な用具から外したり取り付けたりしなければなりませんでした、さらに定置式の特殊な用具の周りはどうしても掃除がしにくく不衛生になりました、本考案はこれらの不便さを解消できる水切りゴミ袋を供給することを目的にしています。
【従来の方法】
【０００２】  水切りゴミ袋を網目の容器の内側に重ねて生ゴミを入れる場合では、水切りゴミ袋を網目の容器に装着する時に、袋の入り口の部分を容器の口の縁に被せて外側に折り返していた、そのために水切りゴミ袋の入り口となる上方の部分が無駄になっていた、つまり、この部分は生ゴミを入れるための袋としての機能が果たされていませんでしたので水切りゴミ袋の容量に見合うだけの生ゴミを入れる事が出来ませんでした、又、水切りゴミ袋を吊り下げて生ゴミを入れる方法では、袋を吊す特殊な用具に設けられているクリップで水切りゴミ袋の入り口の部分を挟み付けていたために、これも又，袋の入り口の部分が無駄に費され、水切りゴミ袋の容量に見合うだけの生ゴミを入れる事が出来ませんでした。吊り下げられている生ゴミの入った水切りゴミ袋は、移動しずらい事から流し台を水洗いする時に邪魔にもなりました。
【考案が解決しようとする課題】
【０００３】  考案が解決しようとする課題をまとめると次の３項目に整理することができる。
【０００４】▲１▼  水切りゴミ袋の容量に見合うだけの多くの生ゴミを詰め込む事を可能にして、水切りゴミ袋の使用枚数を少なくしたい、
【０００５】▲２▼  水切りゴミ袋の中に生ゴミを多く詰め込むために力を加えて押し込んでも、水切りゴミ袋がクリップからはずれ落ちる等の失態をなくしたい。
【０００６】▲３▼  水切りゴミ袋の交換をする度に、袋を取り付けたり外したりする、手間を省きたい。
【課題を解決するための手段】
上記の目的を達成する為に本考案の水切りゴミ袋は、図１で示すように長方形に細長く裁断した防水紙（１）を、ネット袋（５）の開口部（４）の周囲の長さに合わせ、その両端をのりしろ（２）で貼り合せる事により紙筒（３）を形成します、紙筒（３）となる防水紙（１）の材質は軽量で防水加工がなされた、燃やしても有害物質の出ない紙を使用します、紙筒（３）は図３で示すようにネット袋（５）の開口部（４）にピッタリと貼り付けられる事により、ネット袋（５）と一体となり水切りゴミ袋としてその機能をはたします。
【考案を実施するための最良の形態】
【０００７】  考案の水切りゴミ袋は、図４で示すように紙筒（３）を手で円形に広げ、紙筒（３）の中にネット袋（５）を押し込み、流しの隅にポンと立て置くだけで使用出来ます。
生ゴミが入れられて紙筒（３）の中が一杯になると、紙筒（３）を指で摘んで軽く持ち上げます、生ゴミはネット袋（５）の中に進みます、この時に紙筒（３）の中は空の状態になりますので、続けて生ゴミを入れる事が出来ます、この事を繰り返してやがて水切りゴミ袋は図５で示すように満杯になります、生ゴミは上から押しつけても問題はなく、強く手で押し込むことにより従来よりも多くの生ゴミを詰め込む事ができます、水切りゴミ袋は生ゴミが一杯に入っている状態でも、流しの中を移動させる事が出来ますので流しの中を水洗いする事がとても楽にできます、満杯となった水切りゴミ袋は生ゴミを入れたまま燃えるゴミとして処分します。
【考案の効果】
【０００８】  本考案は上述の通り構成されているので次ぎに記載する効果を奏する。
【０００９】▲１▼  水切りゴミ袋の交換をするその都度ごとに水切りゴミ袋を特殊な用具から外したり  取り付けたりする手間を省く事ができる
【００１０】▲２▼  水切りゴミ袋に入れた生ゴミを上から押しつけても，水切りゴミ袋がクリップから外れる等の失態がありません、したがってより多くの生ゴミを詰め、込ことが可能となり、水切りゴミ袋の使用枚数を減らす事が出来ます。
【００１１】▲３▼  生ゴミの入れられた水切りゴミ袋は、流しの中を自由に移動できますので流しの水洗いがしやすく、流し台を常に清潔な状態に保ちます。
【図面の簡単な説明】
【００１２】
【図１】  紙筒（３）を形成するための素材となる防水紙（１）の展開図
【図２】  長方形に裁断した防水紙（１）の両端をのりしろ（２）でつなぎ合わせて，紙筒（３）を形成した状態を示す紙筒（３）の斜視図
【図３】  一般に市販されている水切り用のネット袋（５）に，紙筒（３）を施し設けた水切りゴミ袋の正面図
【図４】  流しの中に置いて使用される状態を示す水切りゴミ袋の斜視図
【図５】  水切りゴミ袋が生ゴミで満杯になった状態を示す斜視図
【符号の説明】
１  防水紙
２  のりしろ
３  紙筒
４  開口部
５  ネット袋
【図１】
0003100990.tif 000003
【図２】
0003100990.tif 000004
【図３】
0003100990.tif 000005
【図４】
0003100990.tif 000006
【図５】
0003100990.tif 000007